(57)【特許請求の範囲】
【請求項１】
ガスの使用が長時間継続したとき遮断予告のデータ送信等を行うガス自動遮断装置と、前記ガス自動遮断装置の状態を報知する宅内情報盤と、前記ガス自動遮断装置と前記宅内情報盤の通信経路を切り替えデータ端末インターフェイス部を介して中央監視装置との双方向通信を可能に接続する回線端末装置であって、
前記ガス自動遮断装置から発信される起動電文に基づいて接続された中央監視装置からの着信応答信号を判断したとき通信経路を切り替えて前記ガス自動遮断装置から中央監視装置へ転送される電文を記憶しておく上り電文記憶部と、前記ガス自動遮断装置からの転送が終了し中央監視装置からの通信終了電文で通信を終了した後、前記ガス自動遮断装置の状態に変化があったので、前記宅内情報盤とデータ端末インターフェイス部との通信経路を切り替え前記上り電文記憶部に記憶された電文を前記宅内情報盤へ送信する送信部とを備えた回線端末装置。
【発明の詳細な説明】
【０００１】
【発明の属する技術分野】
本発明は、公衆回線網を利用したノ−リンギング通信サ−ビスや端末発呼方式によりデータ端末装置からデータの収集を行い、中央監視装置やホームコントローラへデータ転送を行うための回線端末装置に関するものである。
【０００２】
【従来の技術】
図５に示すように、従来この種の回線端末装置１は第１データ端末装置２や第２データ端末装置３を通信により公衆回線４に接続する装置である。
【０００３】
ここで第１データ端末装置２はマイクロコンピュータ内蔵の通信機能付き自動ガス遮断装置で、ガスメータに接続されガス流量を計測し異常を検出するとガスの供給を遮断するもので検針値や遮断事由、遮断５分前予告等を回線端末装置１を介して中央監視装置５にデータ通信をする装置である。
【０００４】
また第２データ端末装置３は宅内情報盤で中央監視装置５からの情報や第１データ端末装置２の状態を表示やブザーあるいは音声等で宅内にいる人に報知したり第１データ端末装置２の遮断弁をリモート開閉する装置である。
【０００５】
そして、この第１データ端末装置２はガスの使用が長時間継続して遮断予定の５分前になると最初に発信先電話番号情報を持つ起動電文を送信することで通信を開始し、最後に通信終了電文を受信することで通信動作を終了する通信プロトコルである。
【０００６】
まず第１データ端末装置２が起動電文を送信するとデータ端末選択スイッチ６、データ端末インターフェース部７を介して受信部９で起動電文を受信する。
【０００７】
受信部９で受信した電文を電文解析部１０が発信先電話番号と認識すると回線端末装置１は中央監視装置５へ接続すべく、網制御部８により公衆回線４との電気的条件の整合を取り第１データ端末装置２から受信した起動電文の情報を元にダイヤリングすることにより中央監視装置５を呼び出す。
【０００８】
中央監視装置５は呼び出されると回線を接続して着信応答信号を回線端末装置１へ送信する。その信号は網制御部８、切替スイッチ１４を介して受信部９で受信される。受信部９で受信された信号を電文解析部１０が解析し、中央監視装置５からの着信応答信号と判断すればスルー切替制御部１３は常にはＡ側にあって切替信号によってのみＢ側に切替る切替スイッチ１４をＡ側からＢ側に切替えて、情報要求電文を送信電文構成部１１で形成し送信部１２からデータ端末インターフェース部７、データ端末選択スイッチ６を介して第１データ端末装置２へ電文を送る。
【０００９】
第１データ端末装置２は情報要求電文を受信すると５分前遮断予告情報付き応答電文を送信する。回線端末装置１は第１データ端末装置２から送られて来た電文をデータ端末選択スイッチ６、データ端末インターフェース部７、切替スイッチ１４、網制御部８を介して中央監視装置５へスルー転送する。
【００１０】
その電文は中央監視装置５で受信されると通信を終了すべく通信終了電文を送信する。回線端末装置１ではこの通信終了電文を第１データ端末装置２へスルー転送する。回線端末装置１は通信終了電文を転送後、中央監視装置５との通信を終了する。
【００１１】
中央監視装置５では回線端末装置１との通信を一旦終了した後に、第１データ端末装置２が遮断５分前になったため第２データ端末装置３にその情報を伝えるべく中央監視装置５から回線端末装置１をノーリンギング着信により呼び出す。
【００１２】
ノーリンギング着信で呼び出された回線端末装置１は、網制御部８により公衆回線４との電気的条件の整合を取り中央監視装置５と通信接続される。次に中央監視装置５から第２データ端末装置選択電文が送信され、その電文は網制御部８、切替スイッチ１４のＡ側を介して受信部９で受信される。受信部９で受信された電文は電文解析部１０で解析される。
【００１３】
ここで受信した電文が第２データ端末装置３を選択する起動電文であると解析されるとスルー切替制御部１３の信号により切替スッチ１４はその接点をＡ側からＢ側へ切替え、データ端末選択スイッチ６もＡ側からＢ側へスイッチし、第２データ端末装置３に対する起動電文を送信電文構成部１１で形成して送信部１２により送信し、データ端末インターフェース部７及びデータ端末選択スイッチ６を介して第２データ端末装置３へ出力する。
【００１４】
そして中央監視装置５と第２データ端末装置３は公衆回線４、網制御部８、切替スイッチ１４、データ端末インターフェース部７、データ端末選択スイッチ６を介して通信が可能となり中央監視装置５から第１データ端末装置２が遮断５分前であることを伝えるべく電文の送信が行われる。第２データ端末装置３（宅内情報盤）はこの電文を受信すると遮断５分前であることを宅内にいる人に知らせるためブザーや音声で報知する。
【００１５】
図６は従来例における第１データ端末装置２（自動ガス遮断装置）の遮断予告発生を第２データ端末装置３（宅内情報盤）に報知する通信手順を示す図である（矢印の向きに電文が送られる）。第１データ端末装置２は遮断５分前になると発信先情報が付加した起動電文（ａ）を回線端末装置１へ送信する。回線端末装置１は発信先情報に基づいてダイヤリングをして中央監視装置５を呼び出す。
【００１６】
中央監視装置５は回線端末装置へ着信応答信号（ｂ）を送出して発呼情報を要求する。回線端末装置１は着信応答信号（ｂ）を受信後、第１データ端末装置２へアラーム情報要求電文（ｃ）を送信する。
【００１７】
第１データ端末装置２から折り返しアラーム情報応答電文（ｄ）が応答されると回線端末装置１はその電文を中央監視装置５へスルー転送する。中央監視装置５は通信を終了するために通信終了電文（ｅ）を送信する。
【００１８】
次に、中央監視装置５は第１データ端末装置２の状態に変化があったので回線端末装置１へ起動をかけ、第２データ端末装置３へ情報を伝えるべくノーリンギング通信を開始する。
【００１９】
中央監視装置５はノーリンギング着信後第２データ端末装置３を電文選択（ｆ）して通信を始めると、回線端末装置１より第２データ端末装置３への起動電文（ｇ）が送信され、第２データ端末装置３からの応答電文（ｈ）をスルー転送する。
【００２０】
以降、中央監視装置５と選択された第２データ端末装置３の間で電文（ｉ）（アラーム情報応答電文（ｄ）と同じ電文）、応答電文（ｊ）の転送が行われ第２データ端末装置３に遮断５分前予告の情報が届く。
【００２１】
第２データ端末装置３ではこの情報を元にブザーや表示によって遮断５分前を報知する。さらに中央監視装置５は第２データ端末装置３との通信を終了するため回線端末装置１に対して通信終了電文（ｋ）を送信する。
【００２２】
【発明が解決しようとする課題】
しかしながら、上記のような構成では、第２データ端末装置３に第１データ端末装置２の情報を伝えるためには端末発呼通信により第１データ端末装置２の情報を中央監視装置５へ通報して一旦通信を終了した後、別途にノーリンギング通信により端末発呼通信で受信した第１データ端末装置２の情報を第２データ端末装置３に伝えなければならなかったため、通信料金が増加したり即時性に欠けるという課題を有していた。
【００２３】
またデータ端末装置２や３から中央監視装置５へ送信される際、ノイズが発生しやすい環境のため通信エラーが発生する場合や中央監視装置５が一時的に故障や回線が輻輳した場合等、第１データ端末装置２の情報が中央監視装置５に届かないため第２データ端末装置３にも情報が届かなくなるという課題を有していた。
【００２４】
【課題を解決するための手段】
本発明は上記課題を解決するために、ガス自動遮断装置から発信される起動電文に基づいて接続された中央監視装置からの着信応答信号を判断したとき通信経路を切り替えてガス自動遮断装置から中央監視装置へ転送される電文を記憶しておく上り電文記憶部と、ガス自動遮断装置からの転送が終了し中央監視装置からの通信終了電文で通信を終了した後、ガス自動遮断装置の状態に変化があったので、宅内情報盤とデータ端末インターフェイス部との通信経路を切り替え上り電文記憶部に記憶された電文を宅内情報盤へ送信する送信部とを備えたものである。
【００２５】
上記発明によれば中央監視装置を介さないで一方のデータ端末装置から送られて来る情報を他方のデータ端末装置へ転送できるため、通信回線の輻輳による待時間の削減等によりリアルタイムに一方のデータ端末装置の情報を他方のデータ端末装置で報知できる。
【００２６】
【発明の実施の形態】
本発明の回線端末装置は、ガスの使用が長時間継続したとき遮断予告のデータ送信等を行うガス自動遮断装置と、前記ガス自動遮断装置の状態を報知する宅内情報盤と、前記ガス自動遮断装置と前記宅内情報盤の通信経路を切り替えデータ端末インターフェイス部を介して中央監視装置との双方向通信を可能に接続する回線端末装置であって、前記ガス自動遮断装置から発信される起動電文に基づいて接続された中央監視装置からの着信応答信号を判断したとき通信経路を切り替えて前記ガス自動遮断装置から中央監視装置へ転送される電文を記憶しておく上り電文記憶部と、前記ガス自動遮断装置からの転送が終了し中央監視装置からの通信終了電文で通信を終了した後、前記ガス自動遮断装置の状態に変化があったので、前記宅内情報盤とデータ端末インターフェイス部との通信経路を切り替え前記上り電文記憶部に記憶された電文を前記宅内情報盤へ送信する送信部とを有するものである。
【００２７】
そして上り電文記憶部はガス自動遮断装置から中央監視装置へ転送される電文を記憶しておき、ガス自動遮断装置からの転送が終了し中央監視装置からの通信終了電文で通信を終了したことを通信監視部が判断した後、ガス自動遮断装置の状態に変化があったので、前記宅内情報盤とデータ端末インターフェイス部との通信経路を切り替え上り電文記憶部で記憶した電文を宅内情報盤へ送信することにより、中央監視装置を介さないでガス自動遮断装置から送られて来る情報を宅内情報盤へ転送できるためリアルタイムにガス自動遮断装置の情報を宅内情報盤で報知ができる。
【００３０】
以下、本発明の実施例について図面を用いて説明する。
（実施例１）
図１は、本発明の回線端末装置のブロック図である。なお図５の従来例と同一符号のものは同じ機能を有する構成要素であって、詳細な構成、動作は省略し、異なる部分を中心に説明する。
【００３１】
１５はデータ端末インターフェース部７で転送される信号を受信して電文に変換するスルー電文受信部、１６はスルー電文受信部１５で各データ端末装置側から中央監視装置５へ転送される上り電文を記憶する上り電文記憶部、１７はスルー電文受信部１５等の情報を元に通信終了の監視を行う通信監視部、１８は第２送信部で、通信監視部１７で通信終了と判定したら上り電文記憶部１６で記憶した電文を送信する。１９は第２切替制御部で通信監視部１７からの指示によりデータ端末選択スイッチ６を制御する。２０は本発明の回線端末装置である。
【００３２】
上記構成において動作を説明すると、この第１データ端末装置２（ガス自動遮断装置）は遮断５分前になると予告するため起動電文を送信する。この起動電文はデータ端末選択スイッチ６とデータ端末インターフェース部７を介して受信部９に受信される。
【００３３】
受信部９で受信した電文を電文解析部１０が発信先電話番号と認識すると回線端末装置２０は中央監視装置５へ通信できるように接続すべく網制御部８により公衆回線４との電気的条件の整合を取り第１データ端末装置２から受信した起動電文の情報を元にダイヤリングし中央監視装置５を呼び出す。
【００３４】
中央監視装置５は呼び出されると回線を接続して着信応答信号を回線端末装置２０へ送信する。その信号は受信部９で受信される。受信部９で受信された信号を電文解析部１０が解析し、中央監視装置５からの着信応答信号と判断すればスルー切替制御部１３は切替スイッチ１４をＡ側からＢ側に切替える。
【００３５】
次にアラーム情報要求電文を送信電文構成部１１で形成し送信部１２から送信することにより、データ端末インターフェース部７とデータ端末選択スイッチ６を介して第１データ端末装置２へ電文を送る。第１データ端末装置２はアラーム情報要求電文を受信すると５分前遮断予告情報付き応答電文を送信する。
【００３６】
回線端末装置２０は第１データ端末装置２から送られて来た電文をデータ端末選択スイッチ６、データ端末インターフェース部７、切替スイッチ１４、網制御部８を介して中央監視装置５へスルー転送すると同時に、スルー電文受信部１５でこの電文を受信し上り電文記憶部１６で記憶する。
【００３７】
この電文を中央監視装置５が受信すると、通信を終了すべく通信終了電文を送信する。回線端末装置２０ではこの通信終了電文をデータ端末装置２０へスルー転送する。そして回線端末装置２０と第１データ端末装置２は中央監視装置５との通信を終了する。
【００３８】
回線端末装置２０では通信監視部１７が通信終了と判定したら、第２切替制御部１９でデータ端末選択スイッチ６をＡ側からＢ側に切替えて上り電文記憶部１６で記憶している電文を第２送信部１８からデータ端末インターフェース部７、データ端末選択スイッチ６を介して第２データ端末装置３（宅内情報盤）へ送信する。
【００３９】
したがって、中央監視装置５を介さないで第１データ端末装置２から送られて来る情報を第２データ端末装置３へ転送できるため、リアルタイムに第１データ端末装置２の情報を第２データ端末装置３で報知することができる。
【００４０】
図２は本発明の実施例１における回線端末装置２０が、第１データ端末装置２（ガス遮断装置）の遮断予告発生を第２データ端末装置３（宅内情報盤）に報知する通信手順を示す図である（矢印の向きに電文が送られる）。図２を用いて電文の流れで回線端末装置２０の動作を説明すると、まず第１データ端末装置２は遮断５分前になると、発信先情報が付加された起動電文（ａ）を回線端末装置１へ送信する。
【００４１】
回線端末装置２０は発信先情報に基づいてダイヤリングをして中央監視装置５を呼び出す。呼び出された中央監視装置５は回線端末装置２０へ着信応答信号（ｂ）を送出して発呼情報を要求する。回線端末装置２０は着信応答信号（ｂ）を受信後、第１データ端末装置２へアラーム情報要求電文（ｃ）を送信する。
【００４２】
第１データ端末装置２から折り返しのアラーム情報応答電文（ｄ）が送信されると、回線端末装置２０はその電文を中央監視装置５へスルー転送することにより第１データ端末装置２が遮断５分前であることを知らせる。中央監視装置５は通信を終了するために通信終了電文（ｅ）を送信する。
【００４３】
次に回線端末装置２０は通信終了電文（ｅ）を転送して通信を終了した後、第１データ端末装置２の状態に変化があったので、中央監視装置５へ転送された情報を第２データ端末装置３へ伝えるべく、第２データ端末装置３との通信を開始する。
【００４４】
回線端末装置２０は第２データ端末装置３へ起動電文（ｇ）を送信して第２データ端末装置３からの応答電文（ｈ）を受信すると、上り電文記憶部１６で記憶していた電文（ｉ）（（ｄ）と同じ電文）を送信し、第２データ端末装置３に遮断５分前の予告の情報が届く。
【００４５】
次に第２データ端末装置３は電文（ｊ）で応答を行うとともにブザーや表示によって遮断５分前の報知をする。さらに回線端末装置２０は宅内情報盤との通信を終了するため通信終了電文（ｋ）を送信する。
【００４６】
この構成によれば中央監視装置５を介さないで第１データ端末装置２から来る情報を第２データ端末装置３へ転送できるため、リアルタイムに第１データ端末装置２の情報を第２データ端末装置３で報知することが可能になる。
【００４７】
（実施例２）
次に本発明の第２の実施例を図３を用いて説明する。図３において前記実施例１と同一部分には同一符号を付して詳細な構成、動作の説明を省略し、異なる部分を中心に説明する。回線端末装置２３は、定期的に例えば１分周期のタイマーを持つ定期タイマー２１と、定期タイマー２１からの信号により情報要求電文を送出する第３送信部２２を回線端末装置２０に備えていることである。
【００４８】
そして定期タイマー２１がタイムアップする１分毎に第２切替制御部１９はデータ端末選択スイッチ６をＡ側にして第３送信部２２からデータ端末インターフェース部７、データ端末選択スイッチ６を介して第１データ端末装置２へ情報要求電文を送信する。
【００４９】
そして第１データ端末装置２からの応答電文をデータ端末選択スイッチ６、データ端末インターフェース部７、スルー電文受信部１５を介して吸い上げ、上り電文記憶部１６に記憶する。
【００５０】
次に第２切替制御部１９はデータ端末選択スイッチ６をＢ側にして第２送信部１８より上り電文記憶部１６で記憶した電文をデータ端末インターフェース部７、データ端末選択スイッチ６を介して第２データ端末装置３へ送信する。
【００５１】
こうして、中央監視装置５を介さないで第１データ端末装置２の情報を第２データ端末装置３へ転送できるため、第２データ端末装置３は第１データ端末装置２の情報を定期的に報知できる。
【００５２】
図４は本発明の実施例２における回線端末装置２３の通信手順を示す図である。上記構成によれば回線端末装置２３は、１分毎に第１データ端末装置２の状態を確認するために、第１データ端末装置２に情報要求電文（ｌ）を送信する。第１データ端末装置２はアラーム情報応答電文（ｍ）を応答する。回線端末装置２０は第１データ端末装置２からの応答電文（ｍ）を上り電文記憶部１６で記憶する。
【００５３】
続けて回線端末装置２３は第２データ端末装置３へ起動電文（ｇ）を送信して、第２データ端末装置３からの応答電文（ｎ）を受信すると、次に上り電文記憶部１６で記憶していた電文（ｍ）を第２データ端末装置３へ送信して第１データ端末装置２の情報を届ける。
【００５４】
第２データ端末装置３では電文（ｏ）で応答を行うとともに、ブザーや表示によって第１データ端末装置２の状態を報知する。さらに回線端末装置２３は第２データ端末装置３との通信を終了するため通信終了電文（ｐ）を送信する。
【００５５】
【発明の効果】
以上のように本発明の回線端末装置によれば、次の効果が得られる。
【００５６】
（１）請求項１によると、上り電文記憶部は一方のデータ端末装置から中央監視装置へ端末発呼通信により転送される電文を記憶しておき、通信監視部が通信終了と判定したら、他方のデータ端末装置へ第２送信部から上り電文記憶部で記憶した電文を送信することにより回線端末装置に接続された一方のデータ端末装置の情報を他方のデータ端末装置へ、中央監視装置を介さないで転送できるため、中央監視装置では端末発呼通信により受信したデータ端末装置の情報を別途、ノーリンギング通信により他のデータ端末装置に伝える必要は無く通信料金を減額できる。
【００５７】
また一方のデータ端末装置の状態の変化を他方のデータ端末装置で報知するまでの時間を短くでき、遮断前予告等緊急に処置しなければならない情報等をリアルタイムに報知できる。
【００５８】
さらに各データ端末装置が中央監視装置との通信が必須のシステムの場合、各データ端末装置は回線端末装置を介して接続されることになるので、データ端末装置間に通信用ケーブルを架設してデータ端末装置間で直接通信をして情報を送る方法と比べて、データ端末装置間の通信用ケーブルの架設工事とその費用が不要になるうえ、各データ端末装置にはデータ端末装置間で通信を行うためのインターフェースも不要となる。
【図面の簡単な説明】
【図１】本発明の実施例１における回線端末装置のブロック図
【図２】本発明の実施例１における回線端末装置の通信手順図
【図３】本発明の実施例２における回線端末装置のブロック図
【図４】本発明の実施例２における回線端末装置の通信手順図
【図５】従来例における回線端末装置のブロック図
【図６】従来例における回線端末装置の通信手順図
【符号の説明】
６  データ端末選択スイッチ
７  データ端末インターフェース部
９  受信部
１０  電文解析部
１３  スルー切替制御部
１４  切替スイッチ
１５  スルー電文受信部
１６  上り電文記憶部
１７  通信監視部
１８  第２送信部
２１  定期タイマ
２２  第３送信部
【図１】
0003823377.tif 000002
【図２】
0003823377.tif 000003
【図３】
0003823377.tif 000004
【図４】
0003823377.tif 000005
【図５】
0003823377.tif 000006
【図６】
0003823377.tif 000007